【手続補正書】
【提出日】平成30年7月2日(2018.7.2)
【手続補正１】
【補正対象書類名】明細書
【補正対象項目名】００２０
【補正方法】変更
【補正の内容】
【００２０】
画像復号化装置１２０は、受信部１２１で伝送路１３０から入力される符号化されたデータを受信して、復号化部１２２に供給する。復号化部１２２は入力されたデータをカラー画像の符号化データとして復号化し、輝度信号データと色差信号データを得る。モノクロ画像データ合成部１２３は、復号化部１２２から出力される輝度信号データと色差信号データとを、それぞれモノクロ画像データ分解部１１１によって分解された複数のビットプレーンと対応付け、分解とは逆の処理によって、高ビット深度のモノクロ画像データとして合成し、モノクロ画像出力１２４を生成する。
【手続補正２】
【補正対象書類名】明細書
【補正対象項目名】００２５
【補正方法】変更
【補正の内容】
【００２５】
図２は、１２ビット階調のモノクロ画像データを、各８ビット階調のＹＵＶ４４４フォーマットのカラー画像成分に分解する、第１の方法を示す説明図である。モノクロ画像データ２００の上位８ビットのビットプレーン２０１１を輝度成分Ｙとして扱う。モノクロ画像データ２００を２ビット左シフトした上位８ビットのビットプレーン２０１２と、モノクロ画像２００のデータを４ビット左シフトした上位８ビットのビットプレーン２０１３をそれぞれ色差成分ＣｂＣｒ（ＵＶ）として扱う。なお例えば、ビットプレーン２０１３は、モノクロ画像２００のデータ下位８ビットを抽出したものと言い換えることも可能である。
【手続補正３】
【補正対象書類名】明細書
【補正対象項目名】００２６
【補正方法】変更
【補正の内容】
【００２６】
図３は、１２ビット階調のモノクロ画像データを、各８ビット階調のＹＵＶ４４４フォーマットのカラー画像成分に分解する、第２の方法を示す説明図である。図２と同様に、モノクロ画像データ２００の上位８ビットのビットプレーン２０２１を輝度成分Ｙとして扱う。モノクロ画像データ２００を６ビット左シフトした上位８ビットのビットプレーン２０２２と、モノクロ画像データ２００を８ビット左シフトした上位８ビットのビットプレーン２０２３をそれぞれ色差成分ＣｂＣｒ（ＵＶ）として扱う。
【手続補正４】
【補正対象書類名】明細書
【補正対象項目名】００３５
【補正方法】変更
【補正の内容】
【００３５】
図９は、１２ビット階調のモノクロ画像データを、各８ビット階調のＹＵＶ４４４フォーマットのカラー画像成分に分解する、別の（輝度Ｙの上位側にゼロ詰めをする）方法を示す説明図である。図２、図３、図４とは異なり、モノクロ画像データ２００を２ビット右シフトした後、上位６ビットにさらに上位２ビットに０詰めをした８ビットのビットプレーン２０５１を、輝度成分Ｙとして扱う。モノクロ画像データ２００を１ビット左シフトした上位８ビットのビットプレーン２１５２と、モノクロ画像データ２００を４ビット左シフトした上位８ビットのビットプレーン２１５３をそれぞれ色差成分ＣｂＣｒ（ＵＶ）として扱う。
【手続補正５】
【補正対象書類名】明細書
【補正対象項目名】００４１
【補正方法】変更
【補正の内容】
【００４１】
図１３は、各８ビット階調のＹＵＶ４４４フォーマットのカラー画像成分から、１２ビット階調のモノクロ画像データを合成する、第２の方法を示す説明図である。画像符号化装置１１０でのモノクロ画像データの分割方法は図３に対応する。Ｙ成分の下位２ビットをマスクし４ビット左シフトしたビットプレーン３０２１を生成する。Ｃｂ成分の下位５ビットをマスクし２ビット右シフトしたビットプレーン３０２２を生成する。Ｃｒ成分の下位５ビットをマスクし５ビット右シフトしたビットプレーン３０２３を生成する。ここで得られたビットプレーン３０２１とビットプレーン３０２２とビットプレーン３０２３とを加算することにより、１２ビット階調のモノクロ画像３０１を生成する。
【手続補正６】
【補正対象書類名】明細書
【補正対象項目名】００４２
【補正方法】変更
【補正の内容】
【００４２】
図１４は、各８ビット階調のＹＵＶ４４４フォーマットのカラー画像成分から、１２ビット階調のモノクロ画像データを合成する、第３の方法を示す説明図である。画像符号化装置１１０でのモノクロ画像データの分割方法は図４に対応する。Ｙ成分の下位２ビットをマスクし４ビット左シフトしたビットプレーン３０３１を生成する。Ｃｂ成分の下位５ビットをマスクし、全てのビットを５ビット右シフトし、上位３ビットを１ビット左シフトした後、上位２ビットを１ビット左シフトしさらに最上位ビットを１ビット左シフトしたビットプレーン３０３２を生成する。Ｃｒ成分の下位５ビットをマスクし、全てのビットを５ビット右シフトし、上位２ビットを１ビット左シフトした後、最上位ビットを１ビット左シフトしたビットプレーン３０３３を生成する。ここで得られたビットプレーン３０３１とビットプレーン３０３２とビットプレーン３０３３とを加算することにより、１２ビット階調のモノクロ画像３０２を生成する。
【手続補正７】
【補正対象書類名】明細書
【補正対象項目名】００４３
【補正方法】変更
【補正の内容】
【００４３】
図１５は、各８ビット階調のＹＵＶ４４４フォーマットのカラー画像成分から、１６ビット階調のモノクロ画像データを合成する、第１の方法を示す説明図である。画像符号化装置１１０でのモノクロ画像データの分割方法は図５に対応する。Ｙ成分の下位２ビットをマスクし８ビット左シフトしたビットプレーン３１１１を生成する。Ｃｂ成分の下位１ビットと上位２ビットをマスクし４ビット左シフトしたビットプレーン３１１２を生成する。Ｃｒ成分の上位３ビットをマスクしたビットプレーン３１１３を生成する。ここで得られたビットプレーン３１１１とビットプレーン３１１２とビットプレーン３１１３とを加算することにより、１６ビット階調のモノクロ画像３１０を生成する。
【手続補正８】
【補正対象書類名】明細書
【補正対象項目名】００４４
【補正方法】変更
【補正の内容】
【００４４】
図１６は、各８ビット階調のＹＵＶ４４４フォーマットのカラー画像成分から、１６ビット階調のモノクロ画像データを合成する、第２の方法を示す説明図である。画像符号化装置１１０でのモノクロ画像データの分割方法は図６に対応する。Ｙ成分の下位２ビットをマスクし８ビット左シフトしたビットプレーン３１２１を生成する。Ｃｂ成分の下位３ビットをマスクし２ビット左シフトしたビットプレーン３１２２を生成する。Ｃｒ成分を３ビット右シフトしたビットプレーン３１２３を生成する。ここで得られたビットプレーン３１２１とビットプレーン３１２２とビットプレーン３１２３とを加算することにより、１６ビット階調のモノクロ画像３１１を生成する。
【手続補正９】
【補正対象書類名】明細書
【補正対象項目名】００４５
【補正方法】変更
【補正の内容】
【００４５】
図１７は、各８ビット階調のＹＵＶ４４４フォーマットのカラー画像成分から、１６ビット階調のモノクロ画像データを合成する、第３の方法を示す説明図である。画像符号化装置１１０でのモノクロ画像データの分割方法は図７に対応する。Ｙ成分の下位２ビットをマスクしたビットプレーン３１３１を生成する。Ｃｂ成分の下位３ビットをマスクし、全ビットを３ビット右シフトし、上位５ビットを１ビット左シフトした後、上位４ビットを１ビット左シフトし、上位３ビットを１ビット左シフト、上位２ビットを１ビット左シフト、最後に最上位ビットを１ビット左シフトしたビットプレーン３１３２を生成する。Ｃｒ成分の下位５ビットをマスクし、全ビットを３ビット右シフトし、上位４ビットを１ビット左シフトし、上位３ビットを１ビット左シフト、上位２ビットを１ビット左シフト、最後に最上位ビットを１ビット左シフトしたビットプレーン３１３３を生成する。ここで得られたビットプレーン３１３１とビットプレーン３１３２とビットプレーン３１３３とを加算することにより、１６ビット階調のモノクロ画像３１２を生成する。
【手続補正１０】
【補正対象書類名】明細書
【補正対象項目名】００４６
【補正方法】変更
【補正の内容】
【００４６】
図１８は、各８ビット階調の輝度Ｙと一方の色差Ｕ（Ｃｂ）によるカラー画像成分から、１２ビット階調のモノクロ画像データを合成する方法を示す説明図である。画像符号化装置１１０でのモノクロ画像データの分割方法は図８に対応する。Ｙ成分の下位２ビットをマスクし４ビット左シフトしたビットプレーン３１４１を生成する。Ｃｂ成分の上位２ビットをマスクしたビットプレーン３１４２を生成する。ここで得られたビットプレーン３１４１とビットプレーン３１４２とを加算することにより、１２ビット階調のモノクロ画像３０４を生成する。
【手続補正１１】
【補正対象書類名】明細書
【補正対象項目名】００４７
【補正方法】変更
【補正の内容】
【００４７】
図１９は、各８ビット階調のＹＵＶ４４４フォーマットで輝度Ｙの上位側がゼロ詰めされたカラー画像成分から、１２ビット階調のモノクロ画像データを合成する方法を示す説明図である。画像符号化装置１１０でのモノクロ画像データの分割方法は図９に対応する。Ｙ成分の上位２ビットをマスクし６ビット左シフトしたビットプレーン３１５１を生成する。Ｃｂ成分の上位５ビットをマスクし３ビット左シフトしたビットプレーン３１５２を生成する。Ｃｒ成分の上位５ビットをマスクしたビットプレーン３１５３を生成する。ここで得られたビットプレーン３１５１とビットプレーン３１５２とビットプレーン３１５３とを加算することにより、１２ビット階調のモノクロ画像３０５を生成する。
【手続補正１２】
【補正対象書類名】図面
【補正対象項目名】図７
【補正方法】変更
【補正の内容】
【図７】
2017050592.tif 000001
【手続補正１３】
【補正対象書類名】図面
【補正対象項目名】図１２
【補正方法】変更
【補正の内容】
【図１２】
2017050592.tif 000002
【手続補正１４】
【補正対象書類名】図面
【補正対象項目名】図１３
【補正方法】変更
【補正の内容】
【図１３】
2017050592.tif 000003
【手続補正１５】
【補正対象書類名】図面
【補正対象項目名】図１４
【補正方法】変更
【補正の内容】
【図１４】
2017050592.tif 000004
【手続補正１６】
【補正対象書類名】図面
【補正対象項目名】図１５
【補正方法】変更
【補正の内容】
【図１５】
2017050592.tif 000005